(57)【要約】  【課題】  利用可能な複数の通信手段のいずれを利用しているかを容易に確認することのできる通信装置および方法を提供する。  【解決手段】  ＩＰ網および公衆交換回線網を含む複数の通信手段のうち通信に利用している若しくは利用した通信手段を通知する。【選択図】        図２
2007311996.tif 000002
【特許請求の範囲】
【請求項１】
ＩＰ網および公衆交換回線網を含む複数の通信手段を選択的に利用して通信を行う通信装置において、
前記通信手段のうち通信に利用している若しくは利用した通信手段を通知する通知手段を具備することを特徴とする通信装置。
【請求項２】
前記通知手段は、前記通信手段のうち通信に利用している通信手段を、該通信中に画面表示することを特徴とする請求項１記載の通信装置。
【請求項３】
前記通知手段は、前記通信手段のうち通信に利用している通信手段を示す通知画像データを生成し、該通信によって送信する画像データに該生成した通知画像データを合成することを特徴とする請求項１記載の通信装置。
【請求項４】
前記通知手段は、前記通信手段のうち通信に利用した通信手段を示す通知画像データを生成し、該通信によって受信した画像データに該生成した通知画像データを合成することを特徴とする請求項１記載の通信装置。
【請求項５】
前記通知手段は、通信を行う毎に該通信で利用した通信手段を通信履歴として記録し、該記録した通信履歴を画面表示若しくは印刷表示することを特徴とする請求項１記載の通信装置。
【請求項６】
ＩＰ網および公衆交換回線網を含む複数の通信手段を選択的に利用して通信を行う通信方法において、
通知手段が、前記通信手段のうち通信に利用している若しくは利用した通信手段を利用者に通知することを特徴とする通信方法。
【請求項７】
前記通知手段は、前記通信手段のうち通信に利用している通信手段を、該通信中に画面表示することを特徴とする請求項６記載の通信方法。
【請求項８】
前記通知手段は、前記通信手段のうち通信に利用している通信手段を示す通知画像データを生成し、該通信によって送信する画像データに該生成した通知画像データを合成することを特徴とする請求項６記載の通信方法。
【請求項９】
前記通知手段は、前記通信手段のうち通信に利用した通信手段を示す通知画像データを生成し、該通信によって受信した画像データに該生成した通知画像データを合成することを特徴とする請求項６記載の通信方法。
【請求項１０】
前記通知手段は、通信を行う毎に該通信で利用した通信手段を通信履歴として記録し、該記録した通信履歴を画面表示若しくは印刷表示することを特徴とする請求項６記載の通信方法。
【発明の詳細な説明】
【技術分野】
【０００１】
本発明は、通信装置および方法に関し、特に、公衆交換回線網やＩＰ網等の複数の通信手段を用いて通信を行うことのできる通信装置および方法に関する。
【背景技術】
【０００２】
近年、電話機やファクシミリ装置等の通信装置は、公衆交換回線網を利用した通信に加え、ＶｏＩＰ（Voice over Internet Protocol）によってＩＰ（Internet Protocol）網を利用した通信が可能となっている。また、ファクシミリ装置においては、ＩＰ網に特化したプロトコルを用いることによって、音声信号を介さずにＩＰ網を利用した通信を行うこともできる。
【０００３】
ところで、公衆交換回線網を利用した通信やＩＰ網を利用した通信は、それぞれ、特徴を有している。例えば、公衆交換回線網は、一定以上の品質で通信が可能である反面、通信距離に応じた通信コストが生じることが一般的であり、ＩＰ網は、その通信品質が保証されていないことが多い反面、通信コストが低いといった特徴を有している。
【０００４】
また、通信装置が通信を行う相手先によっては、複数の通信手段に対応しているとは限らず、利用可能な通信手段が、公衆交換回線網等に限定されてしまう場合もある。
【０００５】
このため、利用者にとっては、実行中の通信や過去の通信において、どの通信手段を利用しているかといった情報を得ることは、通信手段の選択や予期できるトラブルへの対処などを行う上で有益となる。
【０００６】
なお、特許文献１には、短縮ダイヤル情報として回線種別を表示する構成が記載されている。
【特許文献１】特開平６−２９１９１４号公報
【発明の開示】
【発明が解決しようとする課題】
【０００７】
前述のように、複数の通信手段が利用可能な通信装置では、実行中の通信や過去の通信において、どの通信手段を利用しているかといった情報を得ることによる利点がある。
【０００８】
しかしながら、特許文献１に記載された技術は、短縮ダイヤル情報の登録内容確認を容易とすることは可能であるが、実行中の通信や過去の通信において、どの通信手段を利用しているかといった情報を得るには不十分である。
【０００９】
そこで、本発明は、利用可能な複数の通信手段のいずれを利用しているかを容易に確認することのできる通信装置および方法を提供することを目的とする。
【課題を解決するための手段】
【００１０】
前述した目的を達成するため、請求項１の発明は、ＩＰ網および公衆交換回線網を含む複数の通信手段を選択的に利用して通信を行う通信装置において、前記通信手段のうち通信に利用している若しくは利用した通信手段を通知する通知手段を具備することを特徴とする。
【００１１】
また、請求項２の発明は、請求項１の発明において、前記通知手段は、前記通信手段のうち通信に利用している通信手段を、該通信中に画面表示することを特徴とする。
【００１２】
また、請求項３の発明は、請求項１の発明において、前記通知手段は、前記通信手段のうち通信に利用している通信手段を示す通知画像データを生成し、該通信によって送信する画像データに該生成した通知画像データを合成することを特徴とする。
【００１３】
また、請求項４の発明は、請求項１の発明において、前記通知手段は、前記通信手段のうち通信に利用した通信手段を示す通知画像データを生成し、該通信によって受信した画像データに該生成した通知画像データを合成することを特徴とする。
【００１４】
また、請求項５の発明は、請求項１の発明において、前記通知手段は、通信を行う毎に該通信で利用した通信手段を通信履歴として記録し、該記録した通信履歴を画面表示若しくは印刷表示することを特徴とする。
【００１５】
また、請求項６の発明は、ＩＰ網および公衆交換回線網を含む複数の通信手段を選択的に利用して通信を行う通信方法において、通知手段が、前記通信手段のうち通信に利用している若しくは利用した通信手段を利用者に通知することを特徴とする。
【００１６】
また、請求項７の発明は、請求項６の発明において、前記通知手段は、前記通信手段のうち通信に利用している通信手段を、該通信中に画面表示することを特徴とする。
【００１７】
また、請求項８の発明は、請求項６の発明において、前記通知手段は、前記通信手段のうち通信に利用している通信手段を示す通知画像データを生成し、該通信によって送信する画像データに該生成した通知画像データを合成することを特徴とする。
【００１８】
また、請求項９の発明は、請求項６の発明において、前記通知手段は、前記通信手段のうち通信に利用した通信手段を示す通知画像データを生成し、該通信によって受信した画像データに該生成した通知画像データを合成することを特徴とする。
【００１９】
また、請求項１０の発明は、請求項６の発明において、前記通知手段は、通信を行う毎に該通信で利用した通信手段を通信履歴として記録し、該記録した通信履歴を画面表示若しくは印刷表示することを特徴とする。
【発明の効果】
【００２０】
本発明によれば、利用者は、利用可能な複数の通信手段のいずれを利用しているかを容易に確認することが可能となる。
【発明を実施するための最良の形態】
【００２１】
以下、本発明に係る通信装置および方法の一実施の形態について、添付図面を参照して詳細に説明する。
【実施例１】
【００２２】
図１は、本発明を適用したファクシミリ装置の構成例を示すブロック図である。同図に示すように、ファクシミリ装置１は、制御部１１と、操作表示部１２、画像読取部１３、画像形成部１４、記憶部１５、ネットワーク制御部１６、ＭＯＤＥＭ（MOdulator DEModulator）１７、ＣＯＤＥＣ（COder DECoder）１８、回線制御部１９を有している。
【００２３】
制御部１１は、ファクシミリ装置１の全体を制御するとともに、後述する通信手段の表示等の本発明を適用したことによる特有の動作を実行する。操作表示部１２は、利用者に対して情報を表示するとともに利用者の操作指示を受け付け、ユーザインタフェイスとして動作する。画像読取部１３は、原稿を読み取って画像データを生成する。画像形成部１４は、画像データに基づいて用紙上に画像を形成する。記憶部１５は、画像データ等を記憶する。ネットワーク制御部１６は、ＩＰ網の一部であるＬＡＮとの接続を制御する。ＭＯＤＥＭ１７は、送信する画像データを変調して音声データに変換するとともに、その逆変換を行う。ＣＯＤＥＣ１８は、ＭＯＤＥＭ１７が変調した音声データをＶｏＩＰに適応するデジタル信号に符号化するとともに、その逆の復号化を行う。回線制御部１９は、公衆交換回線網（ＰＳＴＮ）との接続を制御する。
【００２４】
このファクシミリ装置１では、公衆交換回線網を利用したファクシミリ送信を行う場合には、画像読取部１３で生成されて記憶部１５に記憶された画像データを、ＭＯＤＥＭ１７でＴ．３０に従った音声データに変調して回線制御部１９から相手先に送出する。
【００２５】
ＩＰ網を利用したみなし音声でファクシミリ送信を行う場合には、画像読取部１３で生成されて記憶部１５に記憶された画像データを、ＭＯＤＥＭ１７でＴ．３０に従った音声データに変調し、さらにＣＯＤＥＣ１８で符号化してネットワーク制御部１６から相手先に送出する。
【００２６】
ＩＰ網を利用したＴ．３８によるＩＰ−ＦＡＸでファクシミリ送信を行う場合には、画像読取部１３で生成されて記憶部１５に記憶された画像データを、制御部１１がＴ．３８に従ったデータに変換して、ネットワーク制御部１６から相手先に送出する。
【００２７】
また、公衆交換回線網を利用したファクシミリ受信、ＩＰ網を利用したみなし音声でのファクシミリ受信、ＩＰ網を利用したＴ．３８によるＩＰ−ＦＡＸでのファクシミリ受信を行う場合には、それぞれ、送信時と逆の処理が行われる。
【００２８】
次に、ファクシミリ装置１のファクシミリ送信時の動作について説明する。図２は、ファクシミリ装置１のファクシミリ送信時の動作の流れを示すフローチャートである。
【００２９】
ファクシミリ装置１は、利用者によりファクシミリ送信が指示されると、まず、画像読取部１３が原稿を読み取って画像データを生成して生成した画像データを記憶部１５に記憶する（ステップ１０１）。そして、利用者が通信手段を指定していなかった場合には（ステップ１０２でＮＯ）、制御部１１が予め指定された優先順位等にしたがって通信手段を特定する（ステップ１０３）。
【００３０】
ここで、利用者が通信手段を特定し（ステップ１０２でＹＥＳ）、その通信手段が公衆交換回線網の利用であった場合、若しくは、優先順位等にしたがって特定された通信手段が公衆交換回線網の利用であった場合には（ステップ１０４でＹＥＳ）、制御部１１は、ＭＯＤＥＭ１７および回線制御部１９を動作させて、公衆交換回線網経由でＴ．３０に従ったファクシミリ送信処理を実行するとともに（ステップ１０５）、操作表示部１２に公衆回線網を利用してファクシミリ送信を行っている旨を表示させる（ステップ１０６）。このとき、操作表示部１２に表示される画面は、例えば、図３（ａ）に示すようなものとなる。そして、ファクシミリ送信が終了すると（ステップ１０７でＹＥＳ）、制御部１１は、操作表示部１２に通信結果を表示させ（ステップ１０８）、ファクシミリ送信処理を終了する。
【００３１】
また、利用者が特定した通信手段、若しくは、優先順位等にしたがって特定された通信手段が、ＩＰ網経由のみなし音声の利用であった場合には（ステップ１０４でＮＯ、ステップ１０９でＹＥＳ）、制御部１１は、ＭＯＤＥＭ１７およびＣＯＤＥＣ１８、ネットワーク制御部１６を動作させて、ＩＰ網経由でＴ．３０に従ったファクシミリ送信処理を実行するとともに（ステップ１１０）、操作表示部１２にＩＰ網を経由したみなし音声を利用してファクシミリ送信を行っている旨を表示させる（ステップ１１１）。このとき、操作表示部１２に表示される画面は、例えば、図３（ｂ）に示すようなものとなる。そして、ファクシミリ送信が終了すると（ステップ１０７でＹＥＳ）、制御部１１は、操作表示部１２に通信結果を表示させ（ステップ１０８）、ファクシミリ送信処理を終了する。
【００３２】
また、利用者が特定した通信手段、若しくは、優先順位等にしたがって特定された通信手段が、ＩＰ網経由のＩＰ−ＦＡＸの利用であった場合には（ステップ１０４でＮＯ、ステップ１０９でＮＯ）、制御部１１は、ネットワーク制御部１６を動作させて、ＩＰ網経由でＴ．３８に従ったファクシミリ送信処理を実行するとともに（ステップ１１２）、操作表示部１２にＩＰ網を経由したＩＰ−ＦＡＸでファクシミリ送信を行っている旨を表示させる（ステップ１１３）。このとき、操作表示部１２に表示される画面は、例えば、図３（ｃ）に示すようなものとなる。そして、ファクシミリ送信が終了すると（ステップ１０７でＹＥＳ）、制御部１１は、操作表示部１２に通信結果を表示させ（ステップ１０８）、ファクシミリ送信処理を終了する。
【００３３】
なお、ここでは、ファクシミリ送信時にエラーが発生した場合の処理を省略しているが、ステップ１０３で特定した通信手段が利用できない等の致命的なエラーの場合には、ステップ１０３に戻って異なる通信手段を特定し、利用者が指定した通信手段が利用できない等の致命的なエラーの場合には、その旨をステップ１０８で表示する通信結果に表示する。また、相手先が話中等でファクシミリ送信が行えなかった場合には、自動で再送信を行う。
【００３４】
また、前述の説明では、操作表示部１２に通信手段を画面表示していたが、図４に示すように、操作表示部１２の一部であるコントロールパネル１２０に、ＬＥＤ（Light Emitting Diode）１２１、ＬＥＤ１２２、ＬＥＤ１２３を配設し、通信手段に応じていずれかを点灯させることで、利用者に通信手段を通知するようにしてもよく、音声により利用者に通信手段を通知するようにしてもよい。
【００３５】
続いて、ファクシミリ装置１のファクシミリ受信時の動作について説明する。図５は、ファクシミリ装置１のファクシミリ受信時の動作の流れを示すフローチャートである。
【００３６】
ファクシミリ装置１は、相手先からの着信があると受信処理を開始し、当該着信が公衆交換回線網からの着信であった場合には（ステップ１５１でＹＥＳ）、制御部１１は、ＭＯＤＥＭ１７および回線制御部１９を動作させて、公衆交換回線網経由でＴ．３０に従ったファクシミリ受信処理を実行するとともに（ステップ１５２）、操作表示部１２に公衆回線網を利用してファクシミリ受信を行っている旨を表示させる（ステップ１５３）。このとき、操作表示部１２に表示される画面は、例えば、図３（ａ）に示した画面中の「送信中」を「受信中」に代えたようなものとなる。そして、ファクシミリ受信が終了すると（ステップ１５４でＹＥＳ）、制御部１１は、画像形成部１４を動作させて受信した画像データに基づく印刷処理を実行し（ステップ１５５）、操作表示部１２に通信結果を表示させ（ステップ１５６）、ファクシミリ受信処理を終了する。
【００３７】
また、着信がＩＰ網経由のみなし音声の利用であった場合には（ステップ１５１でＮＯ、ステップ１５７でＹＥＳ）、制御部１１は、ＭＯＤＥＭ１７およびＣＯＤＥＣ１８、ネットワーク制御部１６を動作させて、ＩＰ網経由でＴ．３０に従ったファクシミリ受信処理を実行するとともに（ステップ１５８）、操作表示部１２にＩＰ網を経由したみなし音声を利用してファクシミリ受信を行っている旨を表示させる（ステップ１５９）。このとき、操作表示部１２に表示される画面は、例えば、図３（ｂ）に示した画面中の「送信中」を「受信中」に代えたようなものとなる。そして、ファクシミリ受信が終了すると（ステップ１５４でＹＥＳ）、制御部１１は、画像形成部１４を動作させて受信した画像データに基づく印刷処理を実行し（ステップ１５５）、操作表示部１２に通信結果を表示させ（ステップ１５６）、ファクシミリ受信処理を終了する。
【００３８】
また、着信がＩＰ網経由のＩＰ−ＦＡＸの利用であった場合には（ステップ１５１でＮＯ、ステップ１５７でＮＯ）、制御部１１は、ネットワーク制御部１６を動作させて、ＩＰ網経由でＴ．３８に従ったファクシミリ受信処理を実行するとともに（ステップ１６０）、操作表示部１２にＩＰ網を経由したＩＰ−ＦＡＸでファクシミリ受信を行っている旨を表示させる（ステップ１６１）。このとき、操作表示部１２に表示される画面は、例えば、図３（ｃ）に示した画面中の「送信中」を「受信中」に代えたようなものとなる。そして、ファクシミリ受信が終了すると（ステップ１５４でＹＥＳ）、制御部１１は、画像形成部１４を動作させて受信した画像データに基づく印刷処理を実行し（ステップ１５５）、操作表示部１２に通信結果を表示させ（ステップ１５６）、ファクシミリ受信処理を終了する。
【００３９】
なお、ステップ１５５の印刷処理とステップ１５６の通信結果表示処理の順序は、前述の順序と逆でもよく、ステップ１５５の印刷処理をファクシミリ受信処理の中で行わずに、別途、行うようにしてもよい。
【００４０】
また、前述の説明では、操作表示部１２に通信手段を画面表示していたが、図４に示すように、操作表示部１２の一部であるコントロールパネル１２０に、ＬＥＤ１２１、ＬＥＤ１２２、ＬＥＤ１２３を配設し、通信手段に応じていずれかを点灯させることで、利用者に通信手段を通知するようにしてもよく、音声により利用者に通信手段を通知するようにしてもよい。
【実施例２】
【００４１】
実施例２では、ファクシミリ送信で送信する画像データに通信手段を示す情報を含ませる例を説明する。なお、実施例２で説明するファクシミリ装置は、一部の処理動作が異なるのみで基本的な構成は図１に示したファクシミリ装置１の構成と同様であるため、構成についての説明は省略する。
【００４２】
図６は、実施例２におけるファクシミリ装置１のファクシミリ送信時の動作の流れを示すフローチャートである。
【００４３】
ファクシミリ装置１は、利用者によりファクシミリ送信が指示されると、まず、画像読取部１３が原稿を読み取って画像データを生成して生成した画像データを記憶部１５に記憶する（ステップ２０１）。そして、利用者が通信手段を指定していなかった場合には（ステップ２０２でＮＯ）、制御部１１が予め指定された優先順位等にしたがって通信手段を特定する（ステップ２０３）。
【００４４】
ここで、利用者が通信手段を特定し（ステップ２０２でＹＥＳ）、その通信手段が公衆交換回線網の利用であった場合、若しくは、優先順位等にしたがって特定された通信手段が公衆交換回線網の利用であった場合には（ステップ２０４でＹＥＳ）、制御部１１は、公衆回線網を利用してファクシミリ送信を行った旨を示す画像を生成して送信する画像データに合成するとともに（ステップ２０５）、ＭＯＤＥＭ１７および回線制御部１９を動作させて、公衆交換回線網経由でＴ．３０に従ったファクシミリ送信処理を実行する（ステップ２０６）。公衆回線網を利用してファクシミリ送信を行った旨を示す画像は、図７（ａ）に示すようにバナーページとなる画像であってもよく、図７（ｂ）に示すように各ページに付されるヘッダ情報となる画像であってもよい。ただし、図７においては、みなし音声でファクシミリ通信を行った旨を示す画像を例示している。そして、ファクシミリ送信が終了すると（ステップ２０７でＹＥＳ）、制御部１１は、操作表示部１２に通信結果を表示させ（ステップ２０８）、ファクシミリ送信処理を終了する。
【００４５】
また、利用者が特定した通信手段、若しくは、優先順位等にしたがって特定された通信手段が、ＩＰ網経由のみなし音声の利用であった場合には（ステップ２０４でＮＯ、ステップ２０９でＹＥＳ）、制御部１１は、ＩＰ網を経由したみなし音声を利用してファクシミリ送信を行った旨を示す画像を生成して送信する画像データに合成するとともに（ステップ２１０）、ＭＯＤＥＭ１７およびＣＯＤＥＣ１８、ネットワーク制御部１６を動作させて、ＩＰ網経由でＴ．３０に従ったファクシミリ送信処理を実行する（ステップ２１１）。ＩＰ網を経由したみなし音声を利用してファクシミリ送信を行った旨を示す画像は、図７（ａ）に示すようにバナーページとなる画像であってもよく、図７（ｂ）に示すように各ページに付されるヘッダ情報となる画像であってもよい。そして、ファクシミリ送信が終了すると（ステップ２０７でＹＥＳ）、制御部１１は、操作表示部１２に通信結果を表示させ（ステップ２０８）、ファクシミリ送信処理を終了する。
【００４６】
また、利用者が特定した通信手段、若しくは、優先順位等にしたがって特定された通信手段が、ＩＰ網経由のＩＰ−ＦＡＸの利用であった場合には（ステップ２０４でＮＯ、ステップ２０９でＮＯ）、制御部１１は、ＩＰ網を経由したＩＰ−ＦＡＸでファクシミリ送信を行った旨を示す画像を生成して送信する画像データに合成するとともに（ステップ２１２）、ネットワーク制御部１６を動作させて、ＩＰ網経由でＴ．３８に従ったファクシミリ送信処理を実行する（ステップ２１３）。ＩＰ網を経由したＩＰ−ＦＡＸでファクシミリ送信を行った旨を示す画像は、図７（ａ）に示すようにバナーページとなる画像であってもよく、図７（ｂ）に示すように各ページに付されるヘッダ情報となる画像であってもよい。ただし、図７においては、みなし音声でファクシミリ通信を行った旨を示す画像を例示している。そして、ファクシミリ送信が終了すると（ステップ２０７でＹＥＳ）、制御部１１は、操作表示部１２に通信結果を表示させ（ステップ２０８）、ファクシミリ送信処理を終了する。
【００４７】
なお、ここでは、ファクシミリ送信時にエラーが発生した場合の処理を省略しているが、ステップ２０３で特定した通信手段が利用できない等の致命的なエラーの場合には、ステップ２０３に戻って異なる通信手段を特定し、利用者が指定した通信手段が利用できない等の致命的なエラーの場合には、その旨をステップ２０８で表示する通信結果に表示する。また、相手先が話中等でファクシミリ送信が行えなかった場合には、自動で再送信を行う。
【実施例３】
【００４８】
実施例３では、ファクシミリ受信で受信した画像データに通信手段を示す情報を含ませる例を説明する。なお、実施例３で説明するファクシミリ装置は、一部の処理動作が異なるのみで基本的な構成は図１に示したファクシミリ装置１の構成と同様であるため、構成についての説明は省略する。
【００４９】
図８は、実施例３におけるファクシミリ装置１のファクシミリ受信時の動作の流れを示すフローチャートである。
【００５０】
ファクシミリ装置１は、相手先からの着信があると受信処理を開始し、当該着信が公衆交換回線網からの着信であった場合には（ステップ３０１でＹＥＳ）、制御部１１は、ＭＯＤＥＭ１７および回線制御部１９を動作させて、公衆交換回線網経由でＴ．３０に従ったファクシミリ受信処理を実行する（ステップ３０２）。そして、ファクシミリ受信が終了すると（ステップ３０３でＹＥＳ）、制御部１１は、公衆回線網を利用してファクシミリ受信を行った旨を示す画像を生成して受信した画像データに合成する（ステップ３０４）。続いて、制御部１１は、、画像形成部１４を動作させて受信した画像データに基づく印刷処理を実行し（ステップ３０５）、操作表示部１２に通信結果を表示させ（ステップ３０６）、ファクシミリ受信処理を終了する。公衆回線網を利用してファクシミリ送信を行った旨を示す画像は、図７（ａ）に示すようにバナーページとなる画像であってもよく、図７（ｂ）に示すように各ページに付されるヘッダ情報となる画像であってもよい。ただし、図７においては、みなし音声でファクシミリ通信を行った旨を示す画像を例示している。
【００５１】
また、着信がＩＰ網経由のみなし音声の利用であった場合には（ステップ３０１でＮＯ、ステップ３０７でＹＥＳ）、制御部１１は、ＭＯＤＥＭ１７およびＣＯＤＥＣ１８、ネットワーク制御部１６を動作させて、ＩＰ網経由でＴ．３０に従ったファクシミリ受信処理を実行する（ステップ３０８）。そして、ファクシミリ受信が終了すると（ステップ３０３でＹＥＳ）、制御部１１は、ＩＰ網経由のみなし音声でファクシミリ受信を行った旨を示す画像を生成して受信した画像データに合成する（ステップ３０４）。続いて、制御部１１は、、画像形成部１４を動作させて受信した画像データに基づく印刷処理を実行し（ステップ３０５）、操作表示部１２に通信結果を表示させ（ステップ３０６）、ファクシミリ受信処理を終了する。ＩＰ網経由のみなし音声でファクシミリ受信を行った旨を示す画像は、図７（ａ）に示すようにバナーページとなる画像であってもよく、図７（ｂ）に示すように各ページに付されるヘッダ情報となる画像であってもよい。
【００５２】
また、着信がＩＰ網経由のＩＰ−ＦＡＸの利用であった場合には（ステップ３０１でＮＯ、ステップ３０７でＮＯ）、制御部１１は、ネットワーク制御部１６を動作させて、ＩＰ網経由でＴ．３８に従ったファクシミリ受信処理を実行する（ステップ３０９）。そして、ファクシミリ受信が終了すると（ステップ３０３でＹＥＳ）、制御部１１は、ＩＰ網経由のＩＰ−ＦＡＸでファクシミリ受信を行った旨を示す画像を生成して受信した画像データに合成する（ステップ３０４）。続いて、制御部１１は、、画像形成部１４を動作させて受信した画像データに基づく印刷処理を実行し（ステップ３０５）、操作表示部１２に通信結果を表示させ（ステップ３０６）、ファクシミリ受信処理を終了する。公衆回線網を利用してファクシミリ送信を行った旨を示す画像は、図７（ａ）に示すようにバナーページとなる画像であってもよく、図７（ｂ）に示すように各ページに付されるヘッダ情報となる画像であってもよい。ただし、図７においては、みなし音声でファクシミリ通信を行った旨を示す画像を例示している。
【００５３】
なお、ステップ３０５の印刷処理とステップ３０６の通信結果表示処理の順序は、前述の順序と逆でもよく、ステップ３０６の印刷処理をファクシミリ受信処理の中で行わずにステップ３０４で画像を合成した状態の画像データを記憶部１５に記憶しておき、後に、印刷処理を行うようにしてもよい。
【実施例４】
【００５４】
実施例４では、ファクシミリ通信を行うごとに、利用した通信手段を示す情報を含む履歴情報を記録し、記録した履歴を用いて利用者に通信手段を通知する例を説明する。なお、実施例３で説明するファクシミリ装置は、一部の処理動作が異なるのみで基本的な構成は図１に示したファクシミリ装置１の構成と同様であるため、構成についての説明は省略する。
【００５５】
最初に、ファクシミリ送信時のファクシミリ１の動作を説明する。図９は、実施例４におけるファクシミリ装置１のファクシミリ送信時の動作の流れを示すフローチャートである。
【００５６】
ファクシミリ装置１は、利用者によりファクシミリ送信が指示されると、まず、画像読取部１３が原稿を読み取って画像データを生成して生成した画像データを記憶部１５に記憶する（ステップ４０１）。そして、利用者が通信手段を指定していなかった場合には（ステップ４０２でＮＯ）、制御部１１が予め指定された優先順位等にしたがって通信手段を特定する（ステップ４０３）。
【００５７】
ここで、利用者が通信手段を特定し（ステップ４０２でＹＥＳ）、その通信手段が公衆交換回線網の利用であった場合、若しくは、優先順位等にしたがって特定された通信手段が公衆交換回線網の利用であった場合には（ステップ４０４でＹＥＳ）、制御部１１は、ＭＯＤＥＭ１７および回線制御部１９を動作させて、公衆交換回線網経由でＴ．３０に従ったファクシミリ送信処理を実行する（ステップ４０５）。そして、ファクシミリ送信が終了すると（ステップ４０６でＹＥＳ）、制御部１１は、通信履歴を生成して記憶部１５に記憶し（ステップ４０７）、操作表示部１２に通信結果を表示させ（ステップ４０８）、ファクシミリ送信処理を終了する。
【００５８】
また、利用者が特定した通信手段、若しくは、優先順位等にしたがって特定された通信手段が、ＩＰ網経由のみなし音声の利用であった場合には（ステップ４０４でＮＯ、ステップ４０９でＹＥＳ）、制御部１１は、ネットワーク制御部１６を動作させて、ＩＰ網経由でＴ．３０に従ったファクシミリ送信処理を実行する（ステップ４１０）。そして、ファクシミリ送信が終了すると（ステップ４０６でＹＥＳ）、制御部１１は、通信履歴を生成して記憶部１５に記憶し（ステップ４０７）、操作表示部１２に通信結果を表示させ（ステップ４０８）、ファクシミリ送信処理を終了する。
【００５９】
また、利用者が特定した通信手段、若しくは、優先順位等にしたがって特定された通信手段が、ＩＰ網経由のＩＰ−ＦＡＸの利用であった場合には（ステップ４０４でＮＯ、ステップ４０９でＮＯ）、制御部１１は、ネットワーク制御部１６を動作させて、ＩＰ網経由でＴ．３８に従ったファクシミリ送信処理を実行する（ステップ４１１）。そして、ファクシミリ送信が終了すると（ステップ４０６でＹＥＳ）、制御部１１は、通信履歴を生成して記憶部１５に記憶し（ステップ４０７）、操作表示部１２に通信結果を表示させ（ステップ４０８）、ファクシミリ送信処理を終了する。
【００６０】
なお、ここでは、ファクシミリ送信時にエラーが発生した場合の処理を省略しているが、ステップ４０３で特定した通信手段が利用できない等の致命的なエラーの場合には、ステップ４０３に戻って異なる通信手段を特定し、利用者が指定した通信手段が利用できない等の致命的なエラーの場合には、その旨をステップ４０８で表示する通信結果に表示する。また、相手先が話中等でファクシミリ送信が行えなかった場合には、自動で再送信を行う。
【００６１】
次に、ファクシミリ受信時のファクシミリ１の動作を説明する。図１０は、実施例４におけるファクシミリ装置１のファクシミリ受信時の動作の流れを示すフローチャートである。
【００６２】
ファクシミリ装置１は、相手先からの着信があると受信処理を開始し、当該着信が公衆交換回線網からの着信であった場合には（ステップ４３１でＹＥＳ）、制御部１１は、ＭＯＤＥＭ１７および回線制御部１９を動作させて、公衆交換回線網経由でＴ．３０に従ったファクシミリ受信処理を実行する（ステップ４３２）。そして、ファクシミリ受信が終了すると（ステップ４３３でＹＥＳ）、制御部１１は、通信履歴を生成して記憶部１５に記憶する（ステップ４３４）。続いて、制御部１１は、、画像形成部１４を動作させて受信した画像データに基づく印刷処理を実行し（ステップ４３５）、操作表示部１２に通信結果を表示させ（ステップ４３６）、ファクシミリ受信処理を終了する。
【００６３】
また、着信がＩＰ網経由のみなし音声の利用であった場合には（ステップ４３１でＮＯ、ステップ４３７でＹＥＳ）、制御部１１は、ＭＯＤＥＭ１７およびＣＯＤＥＣ１８、ネットワーク制御部１６を動作させて、ＩＰ網経由でＴ．３０に従ったファクシミリ受信処理を実行する（ステップ４３８）。そして、ファクシミリ受信が終了すると（ステップ４３３でＹＥＳ）、制御部１１は、通信履歴を生成して記憶部１５に記憶する（ステップ４３４）。続いて、制御部１１は、、画像形成部１４を動作させて受信した画像データに基づく印刷処理を実行し（ステップ４３５）、操作表示部１２に通信結果を表示させ（ステップ４３６）、ファクシミリ受信処理を終了する。
【００６４】
また、着信がＩＰ網経由のＩＰ−ＦＡＸの利用であった場合には（ステップ４３１でＮＯ、ステップ４３７でＮＯ）、制御部１１は、ネットワーク制御部１６を動作させて、ＩＰ網経由でＴ．３８に従ったファクシミリ受信処理を実行する（ステップ４３９）。そして、ファクシミリ受信が終了すると（ステップ４３３でＹＥＳ）、制御部１１は、通信履歴を生成して記憶部１５に記憶する（ステップ４３４）。続いて、制御部１１は、、画像形成部１４を動作させて受信した画像データに基づく印刷処理を実行し（ステップ４３５）、操作表示部１２に通信結果を表示させ（ステップ４３６）、ファクシミリ受信処理を終了する。
【００６５】
なお、ステップ４３５の印刷処理とステップ４３６の通信結果表示処理の順序は、前述の順序と逆でもよく、ステップ４３６の印刷処理をファクシミリ受信処理の中で行わずに受信したデータを記憶部１５に記憶し、後に、印刷処理を行うようにしてもよい。
【００６６】
次に、待機状態から通信履歴を利用した処理を含む各種処理を実行する際のファクシミリ装置１の動作を説明する。図１１は、待機状態から各種処理を実行する際のファクシミリ装置１の動作の流れを示すフローチャートである。
【００６７】
ファクシミリ装置１は、待機状態において、利用者による操作表示部１２を介しての通信履歴の表示要求を受け付けると（ステップ４６１でＹＥＳ）、制御部１１が、記憶部１５に記憶している通信履歴を操作表示部１２に表示させる（ステップ４６２）。操作表示部１２に表示される通信履歴は、例えば、図１２に示すようなものであり、ファクシミリ通信毎に利用した通信手段が表示される。
【００６８】
また、ファクシミリ装置１は、待機状態において、一定時間の経過や実行したファクシミリ通信の数が一定数に達する等の通信レポート生成条件に合致した状態となると（ステップ４６３でＹＥＳ）、制御部１１が、記憶部１５に記憶している通信履歴に基づいて通信レポートを作成し（ステップ４６４）、画像形成部１４を動作させて通信レポートの印刷処理を実行する（ステッ４６５）。この通信レポートは、図１２に示した画面に表示される通信履歴と同様のものをレポート形式で印刷したものである。
【００６９】
また、ファクシミリ装置１は、待機状態において、利用者による操作表示部１２を介してのファクシミリ送信指示を受け付けると（ステップ４６６でＹＥＳ）、前述のファクシミリ送信処理を実行し（ステップ４６７、図９参照）、着信があった場合には（ステップ４６８でＹＥＳ）、前述のファクシミリ受信処理を実行する（ステップ４６９、図１０参照）。
【００７０】
なお、実施例１乃至４の各説明では、それぞれ異なる方法で通信手段を利用者に通知する例を説明したが、これらは、任意に組み合わせて利用することが可能であり、実施例１乃至４で説明した全てを組み合わせることも可能である。
【図面の簡単な説明】
【００７１】
【図１】本発明を適用したファクシミリ装置の構成例を示すブロック図である。
【図２】ファクシミリ装置１のファクシミリ送信時の動作の流れを示すフローチャートである。
【図３】通信手段を通知する表示画面の例を示した図である。
【図４】ＬＥＤにより通信手段を通知する例を示した図である。
【図５】ファクシミリ装置１のファクシミリ受信時の動作の流れを示すフローチャートである。
【図６】実施例２におけるファクシミリ装置１のファクシミリ送信時の動作の流れを示すフローチャートである。
【図７】ファクシミリ送信を行った旨を示す画像の例を示した図である。
【図８】実施例３におけるファクシミリ装置１のファクシミリ受信時の動作の流れを示すフローチャートである。
【図９】実施例４におけるファクシミリ装置１のファクシミリ送信時の動作の流れを示すフローチャートである。
【図１０】実施例４におけるファクシミリ装置１のファクシミリ受信時の動作の流れを示すフローチャートである。
【図１１】待機状態から各種処理を実行する際のファクシミリ装置１の動作の流れを示すフローチャートである。
【図１２】通信履歴を表示する表示画面の例を示した図である。
【符号の説明】
【００７２】
１    ファクシミリ装置
１１    制御部
１２    操作表示部
１３    画像読取部
１４    画像形成部
１５    記憶部
１６    ネットワーク制御部
１７    ＭＯＤＥＭ
１８    ＣＯＤＥＣ
１９    回線制御部
１２０    コントロールパネル
１２１    ＬＥＤ
１２２    ＬＥＤ
１２３    ＬＥＤ
【図１】
2007311996.tif 000003
【図２】
2007311996.tif 000004
【図３】
2007311996.tif 000005
【図４】
2007311996.tif 000006
【図５】
2007311996.tif 000007
【図６】
2007311996.tif 000008
【図７】
2007311996.tif 000009
【図８】
2007311996.tif 000010
【図９】
2007311996.tif 000011
【図１０】
2007311996.tif 000012
【図１１】
2007311996.tif 000013
【図１２】
2007311996.tif 000014